(57)【要約】      （修正有）【課題】渦流発生器を具えるヒートシンク装置を提供する。【解決手段】ヒートシンク装置は、伝熱基材と、熱管２と、複数のヒートシンクフィン３とによりなる。そのうち、各ヒートシンクフィン上は、何れも渦流発生器４を設け、渦流発生器が熱管一側近隣に位置し、ヒートシンクフィン表面に起立する２つのガイドフィン部４０を含み、且つ前記２つのガイドフィン部が挟み角の配置形態を構成し、そのヒートシンクフィンの一側箇所に相対し、貫通する通孔を形成する。これにより、各ヒートシンクフィン上下に相対する渦流発生器を介し、煙突効果を誘発し、ヒートシンク効率を向上することができる。【選択図】図６
0003167993.tif 000002
【実用新案登録請求の範囲】
【請求項１】
伝熱基材(1)と、
該伝熱基材(1)と接続する熱管(2)と、
該熱管(2)上に順に貫通設置される複数のヒートシンクフィン(3)とを含み、該ヒートシンクフィン(3)上に何れも渦流発生器(4)を設け、該渦流発生器(4)は、該熱管(2)の一側近隣に位置し、ヒートシンクフィン(3)表面に突起する２つのガイドフィン部(40)，(41)を含み、且つ前記２つのガイドフィン部(40)，(41)が挟み角の配置形態を形成し、更にヒートシンクフィン(3)の一側箇所に貫通する通孔(32)を形成する渦流発生器を具えるヒートシンク装置。
【請求項２】
前記伝熱基材(1)が板状態を呈する請求項１に記載の渦流発生器を具えるヒートシンク装置。
【請求項３】
各前記ヒートシンクフィン(3)上には、相互に対応する貫通孔(30)を設け、前記熱管(2)を貫通設置させる請求項１に記載の渦流発生器を具えるヒートシンク装置。
【請求項４】
各前記貫通孔(30）周縁は、突起した環壁（31）を形成し、前記熱管（2）を緊密に接触させる請求項３に記載の渦流発生器を具えるヒートシンク装置。
【請求項５】
前記熱管(2)は、複数であり、且つ各前記熱管(2)の一側に何れも前記渦流発生器(4)を設ける請求項１に記載の渦流発生器を具えるヒートシンク装置。
【請求項６】
各前記渦流発生器(4)の２つのガイドフィン部(40)，(41)は、何れも徐々に高くなり、突起する上縁(400)，(410)を有し、該２つのガイドフィン部(40)，(41)の上縁(400)，(410)は、低い箇所に向かう方向へ延伸し、それぞれ挟み角線(L1)を形成し、互いに集まり交わる請求項１に記載の渦流発生器を具えるヒートシンク装置。
【請求項７】
前記２つの挟み角線(L1)が交わる箇所に発生する挟み角が60°である請求項６に記載の渦流発生器を具えるヒートシンク装置。
【請求項８】
各前記渦流発生器(4)の２つのガイドフィン部(40)，(41)の長さ及び高さの比率が2：1である請求項１に記載の渦流発生器を具えるヒートシンク装置。
【請求項９】
各前記ヒートシンクフィン(3)上に、更に、横向きに配列する複数の補助渦流発生器(5)を設ける請求項１に記載の渦流発生器を具えるヒートシンク装置。
【請求項１０】
各前記補助渦流発生器(5)は、何れもヒートシンクフィン(3)表面から突起する２つのガイド斜面(50)を有し、前記２つのガイド斜面(50)は、徐々に広くなる突起形態を呈し、広い箇所にヒートシンクフィン(3)の相対箇所を貫通する通孔(51)を形成する請求項９に記載の渦流発生器を具えるヒートシンク装置。
【請求項１１】
各前記補助渦流発生器(5)の２つのガイド斜面(50)の挟み角が30°である請求項１０に記載の渦流発生器を具えるヒートシンク装置。
【請求項１２】
各前記補助渦流発生器(5)の２つのガイド斜面(50)の長さ及び幅の比率が2：1である請求項１０に記載の渦流発生器を具えるヒートシンク装置。
【請求項１３】
各前記補助渦流発生器(5)の通孔(51)は、斜め上方向に傾斜状を呈する請求項１０に記載の渦流発生器を具えるヒートシンク装置。
【請求項１４】
前記補助渦流発生器(5)は、２つずつ相対する配置形態を呈する請求項９に記載の渦流発生器を具えるヒートシンク装置。
【請求項１５】
前記補助渦流発生器(5)の２つのガイド斜面(50)は、突起し、相互に交わり、稜線(L2)を形成し、２つの相対して隣り合う前記補助渦流発生器(5)の稜線(L2)が形成する挟み角が60°である請求項９に記載の渦流発生器を具えるヒートシンク装置。
【請求項１６】
各前記ヒートシンクフィン(3)の各前記渦流発生器(4)近隣箇所は、更に通気孔(33)を設け、前記通気孔(33)周縁は、上向きに突起し、徐々に縮小する環状囲い部 (34)を形成する請求項１に記載の渦流発生器を具えるヒートシンク装置。
【請求項１７】
前記環状囲い部(34)は、前記２つのガイドフィン部(40)，(41)の間に設けられる請求項１６に記載の渦流発生器を具えるヒートシンク装置。
【考案の詳細な説明】
【技術分野】
【０００１】
本考案は、ヒートシンク装置に関し、特に、渦流発生器（Vortex generator）を介し渦流（Vortex）を発生し、同時に煙突効果を兼ね備えるヒートシンク装置に関する。
【背景技術】
【０００２】
近年より、渦流発生器（Vortex generator）は、しばしば受動的熱伝導増強技術の１種として考慮され、それは、小型の突出物、例えば、エンボス（emboss）、粘着（stamp）、パンチ（punch）等の加工方式を利用し、主要な熱交換表面上、例えば、ヒートシンクフィン等に結合し、境界層に分離が発生し、摩擦力が低下することを回避することができる。
【０００３】
従来の渦流発生器のヒートシンクフィン上への応用は、通常、発生する渦流を介し、ヒートシンクフィン及び空気に熱交換を十分に行わせるが、効果は、依然として理想に至らない。主に、発生する渦流は、ファンが提供する気流の方向に合わせて流動することのみ可能であり、気流を連動するファンがないか、過度に熱気が発生し、停滞が生じる時、従来の渦流発生器が提供できる熱交換効果は、相当有限であり、更にヒートシンク効率を効率的に向上することができない。
【先行技術文献】
【特許文献】
【０００４】
【特許文献１】実用新案登録第３０７６２２０号
【考案の概要】
【考案が解決しようとする課題】
【０００５】
本考案はこれら従来装置の不都合に鑑みてなされたもので、本考案の目的は、ヒートシンク装置の各ヒートシンクフィン上に渦流発生器（Vortex generator）を設置する以外に、更に各ヒートシンクフィン上下に相対する渦流発生器を介し煙突効果を誘発し、各ヒートシンクフィン間に堆積する熱気を自ら排出させ、ヒートシンクの目的を達成することができる渦流発生器を具えるヒートシンク装置を提供することである。
【課題を解決するための手段】
【０００６】
本考案者は、上記欠陥を改善、解決するため、研究に専念し、学理の運用を合わせ、ようやく上記欠陥を合理的な設計で効率的に改善する本考案の渦流発生器を具えるヒートシンク装置に想到した。
【０００７】
上記の目的を達成する為、本考案が提供する渦流発生器を具えるヒートシンク装置は、伝熱基材と、少なくとも１つの熱管と、複数のヒートシンクフィンとを含み、且つ熱管が伝熱基材と接続し、ヒートシンクフィンを順に貫通設置し、そのうち、各ヒートシンクフィン上は、何れも渦流発生器を設け、渦流発生器が熱管一側近隣に位置し、ヒートシンクフィン表面に起立する２つのガイドフィン部を含み、且つ前記２つのガイドフィン部が挟み角の配置形態を構成し、そのヒートシンクフィンの一側箇所に相対し、貫通する通孔を形成する。
【考案の効果】
【０００８】
本考案の渦流発生器を具えるヒートシンク装置は、ヒートシンク装置の各ヒートシンクフィン上に渦流発生器（Vortex generator）を設置する以外に、更に各ヒートシンクフィン上下に相対する渦流発生器を介し煙突効果を誘発し、各ヒートシンクフィン間に堆積する熱気を自ら排出させ、ヒートシンクの目的を達成する。
【図面の簡単な説明】
【０００９】
【図１】本考案の立体外観図である。
【図２】本考案のヒートシンクフィンの立体外観図である。
【図３】本考案のヒートシンクフィンの局部平面図である。
【図４】図３の４−４断面の断面図である。
【図５】図３の５−５断面の断面図である。
【図６】本考案の使用状態の平面説明図である。
【図７】図６の７−７断面の断面図である。
【図８】図６の８−８断面の断面図である。
【図９】本考案のヒートシンクフィンの他の実施例の立体外観図である。
【図１０】本考案のヒートシンクフィンの他の実施例の断面図である。
【考案を実施するための形態】
【００１０】
本考案の特徴及び技術内容を分かり易くするため、以下に本考案に関する詳細な説明及び図面を参照するが、添付図面は、参考及び説明用に提供するのみであり、本考案に対し制限を加えることに用いるのではない。
【００１１】
図１は、本考案の立体外観図である。本考案が提供する渦流発生器を具えるヒートシンク装置は、伝熱基材１と、少なくとも１つの熱管２と、複数のヒートシンクフィン３と、を含み、そのうち、該伝熱基材１は、熱伝導性が良好な材質、例えば、アルミ又は銅等で形成され、板状体を呈することができ、例えば、パソコンのＣＰＵ等の電子発熱部材（図示せず）上に貼付することに用いる。
該熱管２は、伝熱基材１と接続し、該ヒートシンクフィン３は、順にその上に貫通設置され、伝熱基材１が電子発熱部材から吸収した熱量を迅速に各ヒートシンクフィン３上に伝達し、ヒートシンクを行う。更に詳細には、各ヒートシンクフィン３上に相互に対応する貫通孔３０(図２参照)を設け、且つ各貫通孔３０周縁に突起する環壁３１を形成し、熱管２は、順に各ヒートシンクフィン３の貫通孔３０を貫通し、各環壁３１と緊密に接触する。本考案で挙げる実施例において、前記熱管２は、複数である。
【００１２】
図２及び図３に示すように、本考案は、各ヒートシンクフィン３上に何れも少なくとも１つの渦流発生器（Vortex generator）４を設け、前記渦流発生器４は、熱管２風下の一側近隣箇所に位置し、即ち、各熱管２の風下の一側箇所に何れも前記渦流発生器４を配置し、外部に発生する気流（例えば、ファンが提供する）を熱管２の風上の一側に通過させた後、気流は、前記渦流発生器４を経て、変化を発生し、例えば、螺旋状の渦流（Vortex）を発生し、熱管２の風下の空気を流動し、熱管２の風下に蓄積した熱気を離散することができる。
前記渦流発生器４は、ヒートシンクフィン３表面上に起立する２つのガイドフィン部４０，４１を含み、２つのガイドフィン部４０，４１は、何れも徐々に高くなり突起する上縁４００，４１０を有し、且つその低い箇所は、隣り合う熱管２に向き、且つ２つのガイドフィン部４０，４１の上縁４００，４１０は、低い箇所へ向かう方向に延伸し、それぞれ挟み角線Ｌ１を形成し、２つのガイドフィン部４０，４１の挟み角Ｌ１が延伸後に交わり集まることができ、挟み角関係の配置形態を構成し、ヒートシンクフィン３の一側箇所に貫通する通孔３２を形成する。
【００１３】
更に詳細には、図３に示すように、渦流発生器４の２つのガイドフィン部４０，４１の挟み角線Ｌ１が交わり発生する挟み角θ1が60°であることが好ましいが、これに制限するものではない。図４に示すように、２つのガイドフィン部４０，４１の長さ１１及び最高点ｈ１（即ち、高度）の比率が2：1を好ましいものとする。
【００１４】
また、図３及び図５に示すように、本考案は、各ヒートシンクフィン３上に更に、横向きに配列する複数の補助渦流発生器５を設けることができ、各補助渦流発生器５は、何れもヒートシンクフィン３表面から突起する２つのガイド斜面５０を有し、２つのガイド斜面５０は、徐々に広くなる突起形態を呈し、広い箇所にヒートシンクフィン３の相対する箇所を関する通孔５１を形成し、且つ通孔５１は、斜め上方向に傾斜状を抵抗とすることもできる。
更に詳細に言えば、図３に示すように、補助渦流発生器５の２つのガイド斜面５０の挟み角θ2が30°であることが好ましいが、これに制限するものではない。且つ２つのガイド斜面５０の長さＬ２及び幅ｗの比率は、2：1であることが好ましい。
【００１５】
従って、上記の構造により構成され、本考案の渦流発生器を具えるヒートシンク装置が得られる。
【００１６】
これに基づき、図６に示すように、該ヒートシンク装置の各ヒートシンクフィン３の一側は、ファン６を更に提供し、各ヒートシンクフィン３のヒートシンクを補助する。この時、ファン６が発生する気流は、熱管２の風上の一側を通過した後、一部分の気流は、渦流発生器４の２つのガイドフィン部４０，４１外側に沿って流動し、他の部分の気流は、２つのガイドフィン部４０，４１の間に進入し、熱管２の風下に蓄積した熱気の離散を加速する。
同時に、図７に示すように、各渦流発生器４は、ヒートシンクフィン３を貫通する通孔３２を有するので、各ヒートシンクフィン３は、相互に重ねて置いた後、各通孔３２は、熱気流を上昇させ流通させる通路を形成することができ、ファン６が発生する気流で離散することができない熱気を熱気上昇の自然現象により順に自ら排出させることができ、煙突効果を誘発し、ヒートシンクの目的を達成する。
【００１７】
図６及び図８に示すように、各補助渦流発生器５が各ヒートシンクフィン３間の残りの部分の排熱の加速を補助することもでき、蓄積した熱気流を垂直上昇させることができ、通孔５１から順に排出し、その誘発する煙突効果により良好な効果を達成させる。
【００１８】
また、図９は、本考案のヒートシンクフィンの他の実施例の立体外観図である。そのうち、各補助渦流発生器５が２つずつ相対する配置形態を呈することもでき、且つ各補助渦流発生器５の２つのガイド斜面５０が突起し、相互に交わり、稜線Ｌ２を形成し、対をなし隣り合う２つの補助渦流発生器５の稜線Ｌ２が形成する挟み角θ2は、60°であることが好ましいが、これに限定するものではない。また、図１０に示すように、各渦流発生器４の近隣箇所に更に通気孔３３を設けることができ、前記通気孔３３周縁上に徐々に縮小する環状囲い部３４を突起形成し、本考案が挙げる実施例では、環状囲い部３４は、２つのガイドフィン部４０，４１の間に設けることができる。各ヒートシンクフィン３が相互に重ねて置かれた後、各環状囲い部３４は、更に、効率的に熱気を下から通気孔３３を通過して上昇させ、煙突効果が達成できる効果をより顕著にする。
【００１９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２０】
１  伝熱基材
１ｌ  ガイドフィン部の長さ
２  熱管
３  ヒートシンクフィン
３０  貫通孔
３１  環壁
３２  通孔
３３  通気孔
３４  環状囲い部
４  渦流発生器
４０  ガイドフィン部
４００  上縁
４１  ガイドフィン部
４１０  上縁
Ｌ１  挟み角線
５  補助渦流発生器
５０  ガイド斜面
５１  通孔
Ｌ２  稜線
６  ファン
【図１】
0003167993.tif 000003
【図２】
0003167993.tif 000004
【図３】
0003167993.tif 000005
【図４】
0003167993.tif 000006
【図５】
0003167993.tif 000007
【図６】
0003167993.tif 000008
【図７】
0003167993.tif 000009
【図８】
0003167993.tif 000010
【図９】
0003167993.tif 000011
【図１０】
0003167993.tif 000012